(57)【要約】      （修正有）【課題】構造が丈夫で使用安全性が高い工具落下防止索具を提供する。【解決手段】弾力を備えていない複数の非弾性糸条２１０を交互にクロスさせて編み合わせて束になった非弾性線体２１と、複数の非弾性糸条２１０の間に挟まれると共に複数の非弾性糸条２１０とクロスするように編み合わせた弾力を備えた複数の弾性糸条とから長手方向に伸縮可能に構成された伸縮ロープ２と、工具を着脱可能に留めるための、伸縮ロープ２の長手方向両端部２３、２３に連結された留めユニット３とを備えている。【選択図】図１
0003173813.tif 000002
【実用新案登録請求の範囲】
【請求項１】
弾力を備えていない複数の非弾性糸条が交互にクロスして編み合わせて束になった非弾性線体と、前記複数の非弾性糸条の間に挟まると共に前記複数の非弾性糸条とクロスして編み合わせた弾力を備えた複数の弾性糸条とから長手方向に伸縮可能に構成された伸縮ロープと、
工具を着脱可能に留めるための、前記伸縮ロープの長手方向両端部に連結されている留めユニットと
を備えていることを特徴とする工具落下防止索具。
【請求項２】
前記留めユニットは、前記伸縮ロープの前記両端部にそれぞれ工具を引っ掛けて留めることができるフックが装着されていることを特徴とする請求項１に記載の工具落下防止索具。
【請求項３】
前記留めユニットは、前記伸縮ロープの両端部と前記フックとの間に設けられている連結部材を更に有し、
前記連結部材は、輪状になって前記フックに枢結され、
前記伸縮ロープの両端部がそれぞれ対応する前記連結部材を通って前記連結部材に連結されることを特徴とする請求項２に記載の工具落下防止索具。
【請求項４】
前記非弾性線体は、前記非弾性糸条が複数の前記弾性糸条の内の２本それぞれとクロスして且つ２本の前記非弾性糸条に挟まれた交差部を有し、
前記伸縮ロープは、前記交差部に繋がって膨らむ隆起部が形成されるように収縮した状態である第１の長さと、前記隆起部が平らになるほどに前記第１の長さより長く伸長した状態である第２の長さとの間で伸縮できることを特徴とする請求項１〜３のいずれかの一項に記載の工具落下防止索具。
【請求項５】
前記伸縮ロープの両端部をそれぞれ束ねて設けられる保持被覆体を更に有することを特徴とする請求項１〜４のいずれかの一項に記載の工具落下防止索具。
【考案の詳細な説明】
【技術分野】
【０００１】
本考案は、例えば工事現場等で使用される各種工具の落下を防止するための工具落下防止索具に関する。
【背景技術】
【０００２】
一般的に、工事現場で作業員は所定の作業を行うための工具を所持しており、手持ち式の工具を使用しないときは作業員の身に装着したホルダー等に収納しているが、作業中等に誤って工具を落とす場合があるため、例えば図３に示すように、索具５０の一端にある使用者連結部としてのフック５４を作業員側に係止して留め、索具５０の他端にあるリング５３に工具（図示せず）を通して連結することにより、万が一工具を落しても工具を索具５０によって作業員に繋ぎ止めることができるようにする（例えば、特許文献１参照）。
【先行技術文献】
【特許文献】
【０００３】
【特許文献１】台湾登録実用新案第Ｍ３７５７２０号明細書
【考案の概要】
【考案が解決しようとする課題】
【０００４】
上記従来例の工具落下防止索具５０では、図３、４に示すように、フレキシブル伸縮線体５１１、５１１、・・・を数本束ねてフレキシブル伸縮ロープ体５１を構成し、外側を軟質被覆体５２で覆って蛇腹状に形成することで、索具５０に伸縮性を付与することができるので、索具５０が引っ張られても伸縮ロープ体５１が過度に引っ張られることを軟質被覆体５２によって防ぐ効果を発揮することができる。
【０００５】
しかしながら、軟質被覆体５２が平らになるほどの過大な力が伸縮ロープ体５１に掛かると、伸縮線体５１１の負荷耐力を越えて伸縮線体５１１が亀裂、破断してしまい、工具の重さに耐えられず索具１０が破壊される問題点がある。
【０００６】
本考案は、上記問題点に鑑みてなされたものであり、構造が丈夫で使用安全性が高い工具落下防止索具を提供することを目的とする。
【課題を解決するための手段】
【０００７】
上記目的を解決するために、本考案は、弾力を備えていない複数の非弾性糸条２１０を交互にクロスさせて編み合わせて束になった非弾性線体と、複数の非弾性糸条の間に挟まれると共に複数の非弾性糸条とクロスに編み合わされた弾力を備えた複数の弾性糸条とから長手方向に伸縮可能に構成された伸縮ロープと、工具を着脱可能に留めるための、伸縮ロープの長手方向両端部に連結されている留めユニットとを備えたことを特徴とする工具落下防止索具を提供する。
【考案の効果】
【０００８】
本考案の工具落下防止索具によれば、伸縮ロープが非弾性線体と複数の弾性糸条とをクロスさせて一体に編み合わされて構成されているので、伸縮ロープが第１の長さに収縮する状態と第１の長さより長い第２の長さに伸長する状態との間で伸縮することができる。従って、従来のように一部のみが単独に外力を受けることなく、伸縮ロープが均一に外力を受けることができる。また、伸縮ロープが非弾性線体と複数の弾性糸条とをクロスさせるように一体に編み合わされて構成されており、伸縮ロープが受けた作用力の一部を非弾性線体に負担させることができるので、弾性糸条が単独で外力を受けることがなくなり、伸縮ロープの構造をより丈夫にすることができる。従って、本考案に係る索具を長く使用することができる。また、非弾性線体によれば弾性糸条が伸びすぎないようにすることができるので、弾性糸条の弾性疲労を大幅に軽減することができ、作業安全性を大幅に向上することができる。
【図面の簡単な説明】
【０００９】
【図１】本考案に係る工具落下防止索具の一実施の形態を示す斜視図である。
【図２】本考案の工具落下防止索具における伸縮ロープを示す図である。
【図３】従来の工具落下防止索具の一例を概略的に示す図である。
【図４】従来例の工具落下防止索具の一部の構成を拡大して示す図である。
【考案を実施するための形態】
【００１０】
本考案の特徴及び利点は、添付の図面を参照して、以下の本考案の好適な実施形態の詳細な説明から明らかとなる。
【００１１】
本考案の好適な実施形態に係る工具落下防止索具１０は、図示のように、所定方向に長条状に伸縮可能に形成された伸縮ロープ２と、伸縮ロープ２の長手方向両端部２３、２３にそれぞれ取り付けられて工具を着脱可能に繋いで留めるための留めユニット３とを備えている。なお、この形態では、伸縮ロープ２の留めユニット３と繋がる両端部２３、２３のそれぞれを緊密に束ねる保持被覆体４、４とが更に設けられ、伸縮ロープ２全体は保持被覆体４、４も含めて外部よりの湿気などから伸縮ロープ２を守る保護層６で覆われている。
【００１２】
伸縮ロープ２は、弾力を備えていない複数の非弾性糸条２１０が交互にクロスするように編み合わされて束になった非弾性線体２１と、複数の非弾性糸条２１０の間に挟まれながら複数の非弾性糸条２１０と共にクロスして編み合わされた弾力を備えた複数の弾性糸条２２とからなっている。
【００１３】
非弾性線体２１は、非弾性糸条２１０が複数の弾性糸条２２のうちの２本それぞれとクロスしあい且つこれら２本の間に挟まれた交差部２１１を有する。
【００１４】
伸縮ロープ２は、交差部２１１に繋がって膨らむようになる隆起部２１２が形成されるように収縮した状態である第１の長さと、隆起部２１２が平らになるほどに第１の長さより長く伸長した状態である第２の長さとの間で伸縮可能に構成されている。
【００１５】
留めユニット３は、伸縮ロープ２の両端部２３、２３にそれぞれ工具を引掛けて留めることができる着脱式のフック３１、３１と、伸縮ロープ２の両端部２３、２３とフック３１、３１との間に設けられている連結部材３２と有する。フック３１として、カラビナタイプのフックを用い、一端のフック３１を作業員の身（図示せず）に引っ掛け、他端のフック３１に工具（図示せず）を引っ掛けて留めるように使われる。連結部材３２は、Ｄの字形に形成された輪を有し、枢結金具でフック３１に枢結されている。
【００１６】
伸縮ロープ２と連結部材３２、３２は、両端部２３、２３がそれぞれ対応する連結部材３２、３２に通されて更に結び付けられることで連結されている。
【００１７】
本実施形態の工具落下防止索具１０は、工具の吊り下げ時の重量や使用時の引っ張りなどによる外力が加わっていないとき、図１に示すように伸縮ロープ２における２つの交差部２１１、２１１の間に隆起部２１２が形成されるように収縮した状態である第１の長さになる。図示しないが、一端のフック３１を作業員側に引っ掛けて、工具を他端のフック３１に引っ掛けて留めて使用すると、工具の重みや使用者による引っ張りなどによる外力によって伸縮ロープ２が第１の長さより長く伸長した状態である第２の長さに変り、隆起部２１２が伸ばされてほぼ平らになるまで伸長することができる。
【００１８】
なお、伸縮ロープ２の留めユニット３に繋がる両端部２３、２３のそれぞれが保持被覆体４、４によって緊密に束ねられているので、伸縮ロープ２を留めユニット３に通した後わざわざ縫いとめる必要がなくなる。このようにすると、縫製などを行わないので伸縮ロープ２の構造を破壊することがないため、伸縮ロープ２を丈夫な状態のままで使用することができる。
【００１９】
このように、伸縮ロープ２は、弾力を備えた弾性糸条２２が、弾力を備えていない複数の非弾性糸条２１０を交互にクロスさせるように編み合わせて束にした非弾性線体２１の間に挟まれながら、複数の非弾性糸条２１０と共にクロスするように編み合わされて長手方向に伸縮可能に構成されているので、構造的に丈夫にすることができる。これによって、外力を受けた時、従来のように弾性糸条２２だけが外力を受けることなく非弾性線体２１も外力の一部を負担するので、弾性糸条２２の弾性疲労を大幅に軽減することができる。従って索具１０を長く使用することができ、作業安全性もより一層向上させることができる。
【００２０】
以上のように、伸縮ロープ２が非弾性線体２１と複数の弾性糸条２２とをクロスさせて一体に編み合わせて構成されているので、伸縮ロープ２が第１の長さに収縮した状態と第１の長さより長い第２の長さに伸長した状態との間で伸縮することができる。従って、従来のように一部のみが単独に外力を受けることなく、伸縮ロープ２が均一に外力を受けることができる。また、伸縮ロープ２が非弾性線体２１と複数の弾性糸条２２とをクロスさせて一体に編み合わされており、伸縮ロープ２が受けた作用力の一部を非弾性線体２１が負担することができるので、弾性糸条２２が単独で外力を受けることがなくなり、伸縮ロープ２の構造をより丈夫にすることができる。従って、本考案に係る工具落下防止索具１０を長く使用することができる。また、他端のフック３１に工具を引っ掛けて留めることができるので、作業中に工具を取り外さず工具を身に繋いだまま使用することができるので、作業便利性が向上する。また、非弾性線体２１によって弾性糸条２２が伸びすぎないようにすることができるので、弾性糸条２２の弾性疲労を大幅に軽減することができ、作業安全性を大幅に向上させることができる。
【産業上の利用可能性】
【００２１】
本考案の工具落下防止索具は、例えば建築工事現場などに使用される各種工具の使用や落下防止に有用である。
【符号の説明】
【００２２】
１０    工具落下防止索具
２      伸縮ロープ
２１    非弾性線体
２１０  非弾性糸条
２１１  交差部
２１２  隆起部
２２    弾性糸条
２３    端部
３      留めユニット
３１    フック
３２    連結部材
４      保持被覆体
６      保護層
【図１】
0003173813.tif 000003
【図２】
0003173813.tif 000004
【図３】
0003173813.tif 000005
【図４】
0003173813.tif 000006